(57)【要約】      （修正有）【課題】ポンプの保守作業および／または部品の追加作業を容易にする、簡易な構成の横軸ポンプを提供する。【解決手段】羽根車と、羽根車に連結される回転軸と、羽根車を収容するポンプケーシング２Ａと、を備えるポンプ部２と、ポンプ部の回転軸にカップリング部を介して連結される回転軸を含むモータ部３と、ポンプ部及びモータ部が固定されるベース部４と、を備える横軸ポンプ１であって、ベース部は、ポンプケーシングが固定されるベース本体４Ａと、ベース本体の上面に配置され、ベース本体に対して軸方向に移動可能であり且つ互いに対して軸方向に移動可能である、第１上部プレート４Ｂ及び第２上部プレート４Ｃと、を備えており、ポンプ部の回転軸が第１上部プレートに対して軸方向に固定され、モータ部の回転軸が第２上部プレートに対して軸方向に固定されるように構成されている、横軸ポンプ。【選択図】図１
2018165491.tif 000002
【特許請求の範囲】
【請求項１】
羽根車と、前記羽根車に連結される回転軸と、前記羽根車を収容するポンプケーシングと、を備えるポンプ部と、
前記ポンプ部の回転軸にカップリング部を介して連結される回転軸を含むモータ部と、
前記ポンプ部及び前記モータ部が固定されるベース部と、を備える横軸ポンプであって、
前記ベース部は、
前記ポンプケーシングが固定されるベース本体と、
前記ベース本体の上面に配置され、前記ベース本体に対して軸方向に移動可能であり且つ互いに対して軸方向に移動可能である、第１上部プレート及び第２上部プレートと、を備えており、
前記ポンプ部の回転軸が前記第１上部プレートに対して軸方向に固定され、前記モータ部の回転軸が前記第２上部プレートに対して軸方向に固定されるように構成されている、横軸ポンプ。
【請求項２】
前記ポンプ部は、前記ポンプ部の回転軸の回転を支持する軸受部を含み、前記ポンプ部の回転軸は、前記軸受部を収容する軸受ハウジングを介して、前記第１上部プレートに軸方向に固定される、請求項１に記載の横軸ポンプ。
【請求項３】
前記ベース本体は、前記上面で開口する軸方向穴を有しており、
前記第１上部プレートは、上下方向に貫通する第１の軸方向穴を有しており、
前記第２上部プレートは、上下方向に貫通する第２の軸方向穴を有しており、
前記第１の軸方向穴及び前記第２の軸方向穴は、前記第１上部プレート及び前記第２上部プレートが前記ベース本体の上面に配置されたとき、前記ベース本体の軸方向穴と上下方向に連通可能な位置に形成されている、請求項１または２に記載の横軸ポンプ。
【請求項４】
前記第１上部プレートは、前記ポンプ部の回転軸を前記第１上部プレートに対して水平方向に回転させる回転機構を備えている、請求項１〜３のいずれか一項に記載の横軸ポンプ。
【請求項５】
前記第２の上部プレートは、前記モータ部が取り付けられる取付座部、及び、前記第２の上部プレートの上面と前記取付座部との間に設置可能な取付スペーサと、を備えている、請求項１〜４のいずれか一項に記載の横軸ポンプ。
【請求項６】
前記第２の上部プレートは、前記モータ部が取り付けられるように構成されており且つ互いに交換可能な、複数の取付座部を備えており、前記複数の取付座部は、互いに異なる上下方向寸法を有している、請求項１〜４のいずれか一項に記載の横軸ポンプ。
【請求項７】
羽根車と、前記羽根車に連結される回転軸と、前記羽根車を収容するポンプケーシングと、を備えるポンプ部と、前記ポンプ部の回転軸にカップリング部を介して連結される回転軸を含むモータ部と、を備える横軸ポンプのためのベースであって、
前記ポンプケーシングが固定されるベース本体と、
前記ベース本体の上面に配置され、前記ベース本体に対して軸方向に移動可能であり且つ互いに対して軸方向に移動可能である、第１上部プレート及び第２上部プレートと、を備えており、
前記ポンプ部の回転軸が前記第１上部プレートに対して軸方向に固定され、前記モータ部の回転軸が前記第２上部プレートに対して軸方向に固定されるように構成されている、ベース。
【請求項８】
前記ベース本体は、前記上面で開口する軸方向穴を有しており、
前記第１上部プレートは、上下方向に貫通する第１の軸方向穴を有しており、
前記第２上部プレートは、上下方向に貫通する第２の軸方向穴を有しており、
前記第１の軸方向穴及び前記第２の軸方向穴は、前記第１上部プレート及び前記第２上部プレートが前記ベース本体の上面に配置されたとき、前記ベース本体の軸方向穴と上下方向に連通可能な位置に形成されている、請求項７に記載のベース。
【請求項９】
前記第１上部プレートは、前記ポンプ部の回転軸を前記第１上部プレートに対して水平方向に回転させる回転機構を備えている、請求項７または８に記載のベース。
【請求項１０】
前記第２の上部プレートは、前記モータ部が取り付けられる取付座部、及び、前記第２の上部プレートの上面と前記取付座部との間に設置可能な取付スペーサと、を備えている、請求項７〜９のいずれか一項に記載のベース。
【請求項１１】
前記第２の上部プレートは、前記モータ部が取り付けられるように構成されており且つ互いに交換可能な、複数の取付座部を備えており、前記複数の取付座部は、互いに異なる上下方向寸法を有している、請求項７〜９のいずれか一項に記載のベース。
【発明の詳細な説明】
【技術分野】
【０００１】
本発明は、横軸ポンプ及びこれに使用されるベースに関する。
【背景技術】
【０００２】
一般に、横軸ポンプは、設置面に固定されるベース上でポンプの主軸が略水平方向に維持されるように位置決めされ固定される。しかし、横軸ポンプのポンプ部とモータ部とが共通のベースに固定される場合、ポンプ部の内部を点検する際にポンプ部またはモータ部をベースから取り外す作業が必要であり、手間がかかる。また、取り外されたポンプ部またはモータ部を再度ベースに取り付ける際には、改めてベース上で位置調整を行う必要がある。
【０００３】
特許文献１及び特許文献２は、モータの回転軸に羽根車が固定された直動型横軸ポンプのベースを記載している。特許文献１は、ポンプケーシングが固定される共通ベースと共通ベース上に摺動可能に設けられるスライドベースとを備えるベース部を提案している。モータ及びモータの回転軸に取り付けられた羽根車が、スライドベースに軸方向に固定されており、ポンプケーシングに対して移動することができる。特許文献２は、ポンプケーシングが固定されるポンプベース上にガイドピンを設け、モータをポンプベース上に自立させる支持装置に、ガイドピンが通過する長穴を設けることにより、支持装置をポンプベースに対してスライド可能にすることを提案している。特許文献３は、キャンドモータポンプに関し、モータ脚の底面とベース上面との間の空間に転動体を設けて羽根車を含むモータ全体をポンプケーシングから分離することを記載している。
【０００４】
特に大型の横軸ポンプでは、ポンプの主軸が、モータ部の回転軸とポンプ部の回転軸（換言すれば、羽根車に固定される回転軸）とをカップリングを介して連結することにより構成される場合がある。ポンプ設置後にポンプの使用条件が変更される場合、例えば、より高速な運転が必要となる場合及び／または振動が激しくなる現場で使用される場合に、カップリングの交換が必要となる。しかし、従来のベースでは、モータ部とポンプ部の位置がベース上で軸方向に固定されるため、カップリングを交換するためにポンプ部またはモータ部をベースから取り外す必要が生じる。
【０００５】
また、ポンプ設置後、ポンプ側またはモータ側の振動や軸振れが激しい場合には、カップリングスペーサを使用することによって振動や軸振れが相手側に伝わることを抑制することができる。しかし、従来のベースでは、モータ部とポンプ部の位置がベース上で軸方向に固定されているため、カップリングスペーサを追加することができない。従って、新しく専用のベースを設計し製作する必要が生じる。
【０００６】
また、ポンプ設置後、ポンプに対して遠隔操作機能を追加する及びまたはモータの実性能を把握するため、カップリング部にトルク計を追加する場合がある。トルク計の追加により、モータの回転数、回転トルク等の回転状態を測定し、電気信号に変換することができ、これにより、ポンプの遠隔操作が可能になる。しかし、従来のベースでは、モータ部とポンプ部の位置がベース上で軸方向に固定されているため、トルク計を追加することができない。従って、この場合も、専用のベースを新たに設計し製作する必要が生じる。
【０００７】
特許文献４は、モータ部の回転軸とポンプ部の回転軸とを連結させるカップリングを備える横軸ポンプについて、軸封装置を交換する手段を記載している。軸封装置交換手段は、軸封装置の軸方向に対して平行な走行用レールと、軸封装置の両側に設けられた、走行用レール上を走行するためのころとを備える。軸封装置交換の際には、まずカップリング
を取り外し、次に、軸封装置をポンプケーシングから引き抜いて走行レール上をモータ側に移動させる。その後、軸封装置を走行レール上で上向きに反転させ軸封部を分解して交換を行う。
【先行技術文献】
【特許文献】
【０００８】
【特許文献１】特開平３−５９４９５号
【特許文献２】実開平４−９５６９９号
【特許文献３】特開２００１−１１５９８２号
【特許文献４】特開平９−２７３４９６号
【発明の概要】
【発明が解決しようとする課題】
【０００９】
本発明の一実施形態は、ポンプの保守作業および／または部品の追加作業を容易にする、簡易な構成の横軸ポンプを提供することを目的とする。また、本発明の一実施形態は、ポンプの保守作業および／または部品の追加作業を容易にする、簡易な構成の横軸ポンプ用ベースを提供することを目的とする。
【課題を解決するための手段】
【００１０】
本発明の一実施形態によれば、羽根車と、羽根車に連結される回転軸と、羽根車を収容するポンプケーシングと、を備えるポンプ部と、ポンプ部の回転軸にカップリング部を介して連結される回転軸を含むモータ部と、ポンプ部及びモータ部が固定されるベース部と、を備える横軸ポンプであって、ベース部は、ポンプケーシングが固定されるベース本体と、ベース本体の上面に配置され、ベース本体に対して軸方向に移動可能であり且つ互いに対して軸方向に移動可能である、第１上部プレート及び第２上部プレートと、を備えており、ポンプ部の回転軸が第１上部プレートに対して軸方向に固定され、モータ部の回転軸が第２上部プレートに対して軸方向に固定されるように構成されている、横軸ポンプが提供される。
【００１１】
また、本発明の一実施形態によれば、羽根車と、羽根車に連結される回転軸と、羽根車を収容するポンプケーシングと、を備えるポンプ部と、ポンプ部の回転軸にカップリング部を介して連結される回転軸を含むモータ部と、を備える横軸ポンプのためのベースであって、ポンプケーシングが固定されるベース本体と、ベース本体の上面に配置され、ベース本体に対して軸方向に移動可能であり且つ互いに対して軸方向に移動可能である、第１上部プレート及び第２上部プレートと、を備えており、ポンプ部の回転軸が第１上部プレートに対して軸方向に固定され、モータ部の回転軸が第２上部プレートに対して軸方向に固定されるように構成されている、ベースが提供される。
【図面の簡単な説明】
【００１２】
【図１】本発明の一実施形態による横軸ポンプの外観図である。
【図２】図１の横軸ポンプのベース部の組立て状態を示す上方斜視図である。
【図３】図２のベース部の組立て状態を示す上面図である。
【図４】図２のベース部の組立て状態を示す軸方向端面図である。
【図５Ａ】第１の上部プレートの上面図である。
【図５Ｂ】第１の上部プレートの側面図である。
【図５Ｃ】第２の上部プレートの上面図である。
【図５Ｄ】第２の上部プレートの側面図である。
【図５Ｅ】ベース本体の上面図である。
【図６Ａ】本発明の一実施形態によるベース部の動作方法を説明するための図である。
【図６Ｂ】本発明の一実施形態によるベース部の動作方法を説明するための図である。
【図６Ｃ】本発明の一実施形態によるベース部の動作方法を説明するための図である。
【図６Ｄ】本発明の一実施形態によるベース部の動作方法を説明するための図である。
【図６Ｅ】本発明の一実施形態によるベース部の動作方法を説明するための図である。
【発明を実施するための形態】
【００１３】
以下、本発明の一実施形態を添付図面とともに説明する。尚、以下の説明において、上、下等の方向を示す用語は、特に断りのない限り、横軸ポンプの設置状態における方向を意味する。また、軸方向とは、横軸ポンプの主軸に沿った方向を意味する。本実施形態において、横軸ポンプの主軸は、ポンプ部の回転軸とモータ部の回転軸により構成される。尚、添付図面では、ポンプ部の回転軸及びポンプ部の回転軸に取り付けられる羽根車は、図示を省略されている。
【００１４】
図１は、本発明の一実施形態による横軸ポンプ１の外観図を示す。横軸ポンプ１は、ポンプ部２と、モータ部３と、ポンプ部２及びモータ部３が固定されるベース部４と、を備えている。ポンプ部２のポンプケーシング２Ａは、図示しない羽根車を収容するように構成されている。尚、図１中、２１は羽根車の回転により移送される流体が吸い込まれる吸込口であり、２２は、流体が吐出される吐出口である。ポンプ部２の回転軸は、軸受部を収容する軸受ハウジング２Ｂを通って配置され、モータ部３の回転軸にカップリング部を介して連結される。図１の例では、カップリング部はカップリングガード５内に位置しているので、図示されていない。また、図１中、６は軸受ハウジング２Ｂをベース部４に固定するための支柱である。しかし、ポンプ部２及びモータ部３の具体的構成は、図１に示すものに限られない。ポンプの主軸が略水平方向に維持されるように設置されるポンプ、すなわち、横軸ポンプであれば、いかなるポンプにも本発明の実施形態を適用することが可能である。
【００１５】
次に、図１〜図５Ｅを参照しつつ、ベース部４の構成について説明する。本実施形態において、ベース部４は、ベース本体４Ａと、ベース本体４Ａの上面に配置される第１上部プレート（換言すれば、板状部材）４Ｂ及び第２上部プレート４Ｃと、を備えている。図２と図３は、それぞれ、組立て状態におけるベース部４の上方斜視図と上面図である。図４は、組立て状態のベース部４を、図３の下方から見た軸方向端面図である。図５Ａと図５Ｂは、それぞれ、第１の上部プレート４Ｂの上面図と側面図であり、図５Ｃと図５Ｄは、それぞれ、第２の上部プレート４Ｃの上面図と側面図である。図５Ｅは、ベース本体４Ａの上面図である。
【００１６】
［ベース本体４Ａについて］
ベース本体４Ａは、その上面にポンプ部２のポンプケーシング２Ａが固定されるように構成されている。具体的には、例えば図２に示すように、ベース本体４Ａの上面に、ポンプケーシング２Ａの脚部２３（図１参照）が固定される複数（図示の例では４つ）のポンプケーシング取付座４１が設けられている。ポンプケーシング２Ａは、脚部２３の取付穴（符号省略）及び各ポンプケーシング取付座４１の取付穴４１Ａに通される締結ボルトにより、ベース本体４Ａに固定されてよい。また、ベース本体４Ａは、軸方向の側部に沿って配置される複数（図示の例では４つ）の締結部４２を備えている。締結部４２の取付穴４２Ａに通される締結ボルトを用いて、ベース本体４Ａを設置面に固定することができる。
【００１７】
また、例えば図５Ｅに示すように、ベース本体４Ａは、その上面で開口する複数（図示の例では２つ）の軸方向穴４３を有している。図５Ｅに示すように、各軸方向穴４３は、ベース本体４Ａの軸方向端面の一方（図５Ｅの下方）で開口し、ポンプケーシング取付座４１の手前で終端している。また、図４の軸方向端面図に示すように、各軸方向穴４３は、実質的に凸状の断面形状を有する空間を形成する。具体的には、各軸方向穴４３は、小
さい幅方向（図４の左右方向）寸法を有する上部穴４３Ａと上部穴４３Ａの下方で上部穴４３Ａに連通する下部穴４３Ｂとを含んでいる。上部穴４３Ａと下部穴４３Ｂには、後述する固定用の締結ボルト６５が通される。下部穴４３Ｂは、締結ボルト６５の頭部を収容することができるように、上部穴４３Ａより大きい幅方向寸法を有する。これにより、各軸方向穴４３には、幅方向における両側に段部（符号省略）が形成されている。
【００１８】
また、例えば図５Ｅに示すように、ベース本体４Ａの上面には、軸方向の側部に沿って配置される複数対（図示の例では二対）のレール部４４が設けられている。レール部４４の一方の対は、第１上部プレート４Ｂのローラ５０（後述）を受け入れるように構成されており、他方の対は、第２上部プレート４Ｃのローラ６０（後述）を受け入れるように構成されている。図４に示すように、各レール部４４は、ベース本体４Ａの上面から上方に突出し、ベース本体４Ａの幅方向内側に向けて開口する溝４４Ａを形成するように屈曲している。溝４４Ａに、第１上部プレート４Ｂのローラ５０または第２上部プレート４Ｃのローラ６０を受け入れることができる。しかし、レール部４４の形態は図示の例に限られない。レール部４４は、例えば、ローラ５０、６０の下部を受け入れる溝４４Ａを形成するように、ベース本体４Ａの上面に上下方向の窪みを設けることにより形成されていてもよい。また、各レール部４４の長さ及び数も、図示の例に限られない。
【００１９】
［第１上部プレート４Ｂについて］
図５Ａに示すように、第１上部プレート４Ｂの上面には、軸受ハウジング２Ｂに連結された支柱６（図１参照）が固定される支柱取付座５１が設けられている。図示の例では、支柱取付座５１は、回転機構を備えている。これにより、ポンプ部２の回転軸を第１上部プレート４Ｂに対して水平方向に３６０度回転させることができる。具体的には、支柱取付座５１は、回転テーブル５１Ａと、回転テーブル５１Ａの下部に連結される回転軸５１Ｂと、回転軸５１Ｂの回転を支持するように第１上部プレート４Ｂの下方に配置される玉軸受ユニット（図示せず）とにより構成することができる。玉軸受ユニットは、第１上部プレート４Ｂと一体化されていてもよい。回転テーブル５１Ａの周方向に沿って複数（図示の例では４つ）の取付穴５１Ｃが設けられている。少なくとも１つの取付穴５１Ｃに、支柱６を回転テーブル５１Ａに固定するための締結ボルトを通すことができる。また、少なくとも１つの取付穴５１Ｃに、回転テーブル５１Ａを第１上部プレート４Ｂに固定するための締結ボルトを通すことができる。しかし、支柱取付座５１は、回転機構を備えていなくてもよい。
【００２０】
また、第１上部プレート４Ｂの上面には、カップリングガード５が固定されるカップリングガード取付座５２を設けることができる。本実施形態では、カップリングガード５は、固定のための締結ボルトが通過する長穴（図１参照）を有しており、長穴と、カップリングガード取付座５２の取付穴５２Ａとに締結ボルトが通される。締結ボルトに対する長穴の位置を調整することにより、カップリングガード５の位置を軸方向で調整することができる。
【００２１】
また、図５Ａに示すように、第１上部プレート４Ｂにおける、複数（図示の例では２つ）のカップリングガード取付座５２の幅方向両側には、複数（図示の例では２つ）の第１の軸方向穴５３が形成されている。第１の軸方向穴５３は、第１上部プレート４Ｂを上下方向に貫通している。また、図５Ａに示すように、第１の軸方向穴５３は、第１上部プレート４Ｂの軸方向端面の一方（図５Ａの下方）で開口している。
【００２２】
また、第１上部プレート４Ｂは、第１上部プレート４Ｂの側面に取り付けられるローラ機構を備えることができる。図示の例では、第１上部プレート４Ｂの側面と一体的に複数（図示の例では、軸方向に２つずつ）のローラ軸部５０Ａが形成されており、各ローラ軸部５０Ａにローラ５０が回転可能に取り付けられている。ローラ軸部５０Ａは、第１上部
プレート４Ｂとは別個の部材であってもよい。この場合、ローラ５０がローラ軸部５０Ａと一体化され、ローラ軸部５０Ａが第１上部プレート４Ｂの側面に回転可能に取り付けられていてよい。ローラ５０は、ベース本体４Ａの溝４４Ａに受け入れられて、軸方向に移動可能である。
【００２３】
また、第１上部プレート４Ｂは、第２上部プレート４Ｃに対する締結部を構成する締結部５４を備えている。締結部５４は、締結ボルトが挿通される取付穴５４Ａを有する。
【００２４】
［第２上部プレート４Ｃについて］
図５Ｃに示すように、第２上部プレート４Ｃの上面には、モータ部３の脚部が固定される複数（図示の例では、４つ）のモータ取付座６１が設けられる。各モータ取付座６１は、固定のための締結ボルトが通される取付穴６１Ａを有している。
【００２５】
また、図５Ｃに示すように、第２上部プレート４Ｃにおける、複数のモータ取付座６１の幅方向両側には、複数（図示の例では２つ）の第２の軸方向穴６３が形成されている。第２の軸方向穴６３は、第２上部プレート４Ｃを上下方向に貫通している。また、図５Ｃに示すように、第２の軸方向穴６３は、第２上部プレート４Ｃの軸方向端面の一方（図５Ｃの下方）で開口している。
【００２６】
また、第２上部プレート４Ｃは、第２上部プレート４Ｃの側面に取り付けられるローラ機構を備えることができる。図示の例では、第２上部プレート４Ｃの側面と一体的に複数（図示の例では、軸方向に２つずつ）のローラ軸部６０Ａが形成されており、各ローラ軸部６０Ａにローラ６０が回転可能に取り付けられている。ローラ軸部６０Ａは、第２上部プレート４Ｃとは別個の部材であってもよい。この場合、ローラ６０がローラ軸部６０Ａと一体化され、ローラ軸部６０Ａが第２上部プレート４Ｃの側面に回転可能に取り付けられていてよい。ローラ６０は、ベース本体４Ａの溝４４Ａに受け入れられて、軸方向に移動可能である。
【００２７】
また、第２上部プレート４Ｃは、第１上部プレート４Ｂに対する締結部を構成する締結部６４を備えている。締結部６４は、締結ボルトが挿通される取付穴６４Ａを有する。
【００２８】
［ベース部４の組立て状態について］
第１上部プレート４Ｂ及び第２上部プレート４Ｃは、例えば図３に示すように、ベース本体４Ａの上面に配置することができる。すなわち、軸方向において、第１上部プレート４Ｂは、ポンプケーシング取付座４１に近い側に配置され、第２上部プレート４Ｃは、ポンプケーシング取付座４１から離れた側に配置される。また、第１上部プレート４Ｂ及び第２上部プレート４Ｃは、締結部５４と締結部６４が軸方向で互いに当接可能な向きで配置される。このとき、第１上部プレート４Ｂ及び第２上部プレート４Ｃのローラ５０、６０は、ベース本体４Ａのレール部４４の溝４４Ａに受け入れられる。第１の軸方向穴５３は、二対の軸方向穴４３の一方の対の上部穴４３Ａと整合する位置に配置され、第２の軸方向穴６３は、軸方向穴４３の他方の対の上部穴４３Ａと整合する位置に配置される。第１上部プレート４Ｂ及び第２上部プレート４Ｃは、締結部５４、６４の取付穴５４Ａ、６４Ａに挿通される締結ボルト７０及びナット７１により互いに固定されてよい。
【００２９】
ベース本体４Ａに対する第１上部プレート４Ｂの固定は、ベース本体４Ａの軸方向穴４３及び第１上部プレート４Ｂの第１の軸方向穴５３に挿通される複数組（図示の例では４つの組）の締結ボルト５５及びナット５６を用いて行われる。ベース本体４Ａに対する第２上部プレート４Ｃの固定は、ベース本体４Ａの軸方向穴４３及び第２上部プレート４Ｃの第２の軸方向穴６３に挿通される複数組（図示の例では４つの組）の締結ボルト６５及びナット６６を用いて行われる。図４は、ベース本体４Ａに対する第２上部プレート４Ｃ
の固定方法を具体的に示している。図４に示すように、締結ボルト６５は、ベース本体４Ａの下部穴４３Ｂから、上部穴４３Ａ及び第２の軸方向穴６３に通される。締結ボルト６５とナット６６によって、第２上部プレート４Ｃがベース本体４Ａに締め付け固定される。このとき、締結ボルト６５の頭部は、軸方向穴４３の段部に当接している。尚、締結ボルト６５は、例えば、第２上部プレート４Ｃをベース本体４Ａの上面に配置した後、ベース本体４Ａ及び第２上部プレート４Ｃの軸方向端面の一方の開口から挿入することができる。
【００３０】
上記と実質的に同様の方法で、ベース本体４Ａに対する第１上部プレート４Ｂの固定を行うことができる。すなわち、締結ボルト５５を、ベース本体４Ａの下部穴４３Ｂから、上部穴４３Ａ及び第１の軸方向穴５３に通し、締結ボルト５５とナット５６によって、第１上部プレート４Ｂをベース本体４Ａに締め付け固定することができる。
【００３１】
こうして、本実施形態では、第１上部プレート４Ｂ及び第２上部プレート４Ｃを、複数の組の締結ボルト５５、６５及びナット５６、６６によってベース本体４Ａに強固に締め付け固定することができる。従って、ポンプ運転時の振動によって第１上部プレート４Ｂ及び第２上部プレート４Ｃにがたつきが生じるおそれがない。
【００３２】
このようにして組立てられたベース部４に、ポンプ部２及びモータ部３が固定される。具体的には、ポンプ部２のポンプケーシング２Ａが、ベース本体４Ａのポンプケーシング取付座４１に固定される。また、ポンプ部２の回転軸が、第１上部プレート４Ｂに対して軸方向に固定される。具体的には、図１に示されるように、ポンプ部２の回転軸が配置された軸受ハウジング２Ｂを、支柱６を介して第１上部プレート４Ｂの支柱取付座５１に固定することができる。しかし、ポンプ部２の具体的な構成要素に応じて、ポンプ部２の回転軸は、軸受ハウジング２Ｂ及び支柱６以外の構成要素を介して第１上部プレート４Ｂに固定されてもよい。モータ部３は、第２上部プレート４Ｃのモータ取付座６１に固定される。
【００３３】
［ベース部４の動作方法について］
図６Ａ〜図６Ｅは、ベース部４の動作方法の一例を説明する図である。
【００３４】
図６Ａは、第１上部プレート４Ｂ及び第２上部プレート４Ｃを同時に軸方向に移動させる例を示す。このような移動は、例えば、ポンプ部２の羽根車の点検を行う際に行うことができる。具体的には、軸受ハウジング２Ｂをポンプケーシング２Ａに固定している締結具（図示せず）が緩められまたは取り外され、第１上部プレート４Ｂ及び第２上部プレート４Ｃをベース本体４Ａに固定しているナット５６、６６が緩められる。そして、第１上部プレート４Ｂ及び第２上部プレート４Ｃを共に軸方向にポンプケーシング２Ａから離れる方向に移動させる。この軸方向移動は、レール部４４の溝４４Ａに沿ってローラ５０、６０を走行させることにより容易に行うことができる。尚、このときの移動距離は、可動部の重心がベース本体４Ａの範囲内に収まるように決めることができる。こうして、羽根車をポンプケーシング２Ａから離間させることができ、羽根車の点検を容易に行うことができる。
【００３５】
図６Ｂは、図６Ａに示す移動後に、第１上部プレート４Ｂからカップリングガード５を取り外した状態を示す。従って、図６Ｂではカップリング部７が外部に露出されている。図６Ｂに示すように、カップリング部７は、モータ部３側のカップリング部材とポンプ部２側のカップリング部材とを連結させることにより構成されている。
【００３６】
図６Ｃは、第１上部プレート４Ｂと第２上部プレート４Ｃを互いに対して移動させる例を示す。図６Ｃの例では、第１上部プレート４Ｂが第２上部プレート４Ｃから離れるよう
に、図６Ｂの第１上部プレート４Ｂを軸方向にポンプケーシング２Ａに向けて移動させている。具体的には、モータ部３側のカップリング部材とポンプ部２側のカップリング部材とを相互に固定している締結具（図示せず）が緩められまたは取り外され、締結部５４、６４の締結ボルト７０及び／またはナット７１が緩められまたは締結部５４、６４から取り外される。そして、レール部４４に沿って第１上部プレート４Ｂがポンプケーシング２Ａに向けて軸方向に移動される。こうして、モータ部３またはポンプ部２をベース部４から取り外すことなく、モータ部３の回転軸とポンプ部２の回転軸とを互いから離間させることができる。
【００３７】
本実施形態では、支柱取付座５１が回転機構を備えている。この回転機構を用いて、図６Ｄに示すように、軸受ハウジング２Ｂ（従ってポンプ部２の回転軸）を水平方向に回転させることができる。具体的には、回転テーブル５１Ａを図６Ｃの位置で固定している締結ボルトが緩められまたは取り外され、回転テーブル５１Ａが回転軸５１Ｂ周りに回転させられる。これにより、ポンプ部２の回転軸を横軸ポンプ１の側方に向けることができるので、カップリング部７の交換作業及び／または回転軸周りの保守点検作業を容易に行うことができる。作業終了後は、回転テーブル５１Ａを再び元の位置まで回転させ、その位置で、締結ボルトにより締め付け固定する。
【００３８】
しかし、上記したように、支柱取付座５１は、回転機構を備えていなくてもよい。この場合でも、第１上部プレート４Ｂと第２上部プレート４Ｃを相対移動させることによって、モータ部３側のカップリング部材とポンプ部２側のカップリング部材との間の軸方向距離を十分大きくすることができる。従って、カップリング部７の交換作業及び／または回転軸周りの保守点検作業を容易に行うことができる。
【００３９】
また、本実施形態では、モータ部３またはポンプ部２をベース部４から取り外すことなく、カップリングスペーサ及び／またはトルク計等の部品を追加する作業を行うことができる。カップリングスペーサ及び／またはトルク計等の部品を追加した場合には、ベース本体４Ａ及び第１上部プレート４Ｂに対する第２上部プレート４Ｃの位置が変更される（具体的には、モータ部３側にずれる）。この場合でも、変更後の位置で第２の軸方向穴６３のナット６６を締め付け、締結部５４、６４を締結ボルト７０及びナット７１で締め付けることにより、第２上部プレート４Ｃをベース本体４及び第１上部プレート４Ｂに固定することができる。
【００４０】
また、カップリング部７の交換作業及び／または回転軸周りの保守点検作業は、図６Ｅに示すように、第２上部プレート４Ｃのみを軸方向に移動させることによって行われてもよい。この場合、軸受ハウジング５がポンプケーシング２Ａから取り外される必要がないので、予めポンプケーシング２Ａ内の液体を排出しておく必要がない。
【００４１】
このように、本実施形態では、横軸ポンプ１のベース部４は、ポンプケーシング２Ａが固定されるベース本体４Ａと、ベース本体４Ａの上面に配置され、ベース本体４Ａに対して軸方向に移動可能であり且つ互いに対して軸方向に移動可能である、第１上部プレート４Ｂ及び第２上部プレート４Ｃと、を備えている。ポンプ部２の回転軸が第１上部プレート４Ｂに対して軸方向に固定されている。モータ部３の回転軸が第２上部プレート４Ｃに対して軸方向に固定されている。従って、ポンプ部２及びモータ部３を、それぞれ、ベース部４に固定された状態で軸方向に相対移動させることができる。従って、ポンプ部２またはモータ部３をベース部４から取り外す必要なく、カップリング部７の交換作業及び／または回転軸周りの保守点検作業を行うことができる。また、専用のベースを新たに設計し製作する必要なく、ポンプ部２とモータ部３との間にカップリングスペーサ及び／またはトルク計等の部品の追加を行うことができる。
【００４２】
［変形例］
横軸ポンプ１のモータ部３は、より小型または大型のモータ部３に交換される場合がある。モータ部３の寸法によって、モータ部３の回転軸の上下方向位置（換言すれば、高さ位置）が変化する。モータ部３の寸法変更に対応するため、横軸ポンプ１は、モータ取付座６１と第２上部プレート４Ｃの上面との間に設置可能な取付スペーサを備えていてもよい。この場合、モータ取付座６１には、第２上部プレート４Ｃの上面に対して脱着可能であるように、締結ボルト用の取付穴が形成されてよい。取付スペーサには、モータ取付座６１の締結ボルトを受け入れる取付穴と、第２上部プレート４Ｃの上面に対して締結可能な締結ボルト用の取付穴とを形成することができる。または、横軸ポンプ１は、互いに交換可能な、異なる上下方向寸法を有する複数のモータ取付座６１を備えていてもよい。
【００４３】
以上、いくつかの例に基づいて本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明には、その均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【００４４】
本発明は、以下の実施形態を含む。
１．羽根車と、羽根車に連結される回転軸と、羽根車を収容するポンプケーシングと、を備えるポンプ部と、
ポンプ部の回転軸にカップリング部を介して連結される回転軸を含むモータ部と、
ポンプ部及びモータ部が固定されるベース部と、を備える横軸ポンプであって、
ベース部は、
ポンプケーシングが固定されるベース本体と、
ベース本体の上面に配置され、ベース本体に対して軸方向に移動可能であり且つ互いに対して軸方向に移動可能である、第１上部プレート及び第２上部プレートと、を備えており、
ポンプ部の回転軸が第１上部プレートに対して軸方向に固定され、モータ部の回転軸が第２上部プレートに対して軸方向に固定されるように構成されている、
横軸ポンプ。
２．ポンプ部は、ポンプ部の回転軸の回転を支持する軸受部を含み、ポンプ部の回転軸は、軸受部を収容する軸受ハウジングを介して、第１上部プレートに軸方向に固定される、上記１．に記載の横軸ポンプ。
３．ベース本体は、上面で開口する軸方向穴を有しており、
第１上部プレートは、上下方向に貫通する第１の軸方向穴を有しており、
第２上部プレートは、上下方向に貫通する第２の軸方向穴を有しており、
第１の軸方向穴及び第２の軸方向穴は、第１上部プレート及び第２上部プレートがベース本体の上面に配置されたとき、ベース本体の軸方向穴と上下方向に連通可能な位置に形成されている、上記１．または２．に記載の横軸ポンプ。
４．第１上部プレートは、ポンプ部の回転軸を第１上部プレートに対して水平方向に回転させる回転機構を備えている、上記１．〜３．のいずれかに記載の横軸ポンプ。
５．第２の上部プレートは、モータ部が取り付けられる取付座部、及び、第２の上部プレートの上面と取付座部との間に設置可能な取付スペーサと、を備えている、上記１．〜４．のいずれかに記載の横軸ポンプ。
６．第２の上部プレートは、モータ部が取り付けられるように構成されており且つ互いに交換可能な、複数の取付座部を備えており、複数の取付座部は、互いに異なる上下方向寸法を有している、上記１．〜４．のいずれかに記載の横軸ポンプ。
７．羽根車と、羽根車に連結される回転軸と、羽根車を収容するポンプケーシングと、を
備えるポンプ部と、ポンプ部の回転軸にカップリング部を介して連結される回転軸を含むモータ部と、を備える横軸ポンプのためのベースであって、
ポンプケーシングが固定されるベース本体と、
ベース本体の上面に配置され、ベース本体に対して軸方向に移動可能であり且つ互いに対して軸方向に移動可能である、第１上部プレート及び第２上部プレートと、を備えており、
ポンプ部の回転軸が第１上部プレートに対して軸方向に固定され、モータ部の回転軸が第２上部プレートに対して軸方向に固定されるように構成されている、ベース。
８．ベース本体は、上面で開口する軸方向穴を有しており、
第１上部プレートは、上下方向に貫通する第１の軸方向穴を有しており、
第２上部プレートは、上下方向に貫通する第２の軸方向穴を有しており、
第１の軸方向穴及び第２の軸方向穴は、第１上部プレート及び第２上部プレートがベース本体の上面に配置されたとき、ベース本体の軸方向穴と上下方向に連通可能な位置に形成されている、上記７．に記載のベース。
９．第１上部プレートは、ポンプ部の回転軸を第１上部プレートに対して水平方向に回転させる回転機構を備えている、上記７．または８．に記載のベース。
１０．第２の上部プレートは、モータ部が取り付けられる取付座部、及び、第２の上部プレートの上面と取付座部との間に設置可能な取付スペーサと、を備えている、上記７．〜９．のいずれかに記載のベース。
１１．第２の上部プレートは、モータ部が取り付けられるように構成されており且つ互いに交換可能な、複数の取付座部を備えており、複数の取付座部は、互いに異なる上下方向寸法を有している、上記７．〜９．のいずれかに記載のベース。
【産業上の利用可能性】
【００４５】
本発明は、横軸ポンプ及びこれに使用されるベースに広く適用することができる。
【符号の説明】
【００４６】
１  横軸ポンプ
２  ポンプ部
２Ａ  ポンプケーシング
２Ｂ  軸受ハウジング
２１  吸込口
２２  吐出口
２３  脚部
３  モータ部
４  ベース部
４Ａ  ベース本体
４Ｂ  第１上部プレート
４Ｃ  第２上部プレート
５  カップリングガード
６  支柱
７  カップリング部
４１  ポンプケーシング取付座
４１Ａ  取付穴
４２  締結部
４２Ａ  取付穴
４３  軸方向穴
４３Ａ  上部穴
４３Ｂ  下部穴
４４  レール部
４４Ａ  溝
５０、６０  ローラ
５０Ａ、６０Ａ  ローラ軸部
５１  支柱取付座
５１Ａ  回転テーブル
５１Ｂ  回転軸
５１Ｃ  取付穴
５２  カップリングガード取付座
５２Ａ  取付穴
５３  第１の軸方向穴
５４  締結部
５４Ａ  取付穴
５５  ボルト
５６  ナット
６１  モータ取付座
６３  第２の軸方向穴
６４  締結部
６４Ａ  取付穴
６５  ボルト
６６  ナット
７０  ボルト
７１  ナット
【図１】
2018165491.tif 000003
【図２】
2018165491.tif 000004
【図３】
2018165491.tif 000005
【図４】
2018165491.tif 000006
【図５Ａ】
2018165491.tif 000007
【図５Ｂ】
2018165491.tif 000008
【図５Ｃ】
2018165491.tif 000009
【図５Ｄ】
2018165491.tif 000010
【図５Ｅ】
2018165491.tif 000011
【図６Ａ】
2018165491.tif 000012
【図６Ｂ】
2018165491.tif 000013
【図６Ｃ】
2018165491.tif 000014
【図６Ｄ】
2018165491.tif 000015
【図６Ｅ】
2018165491.tif 000016